【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
コンテンツに対する出力処理を実行するための第１のアプリケーションプログラムおよび前記コンテンツを外部装置から取り込む処理を実行するための第２のアプリケーションプログラムを有する情報処理装置であって、
前記第１のアプリケーションプログラムにしたがって、前記第２のアプリケーションプログラムの起動要求を行う第１の要求手段と、
前記第２のアプリケーションプログラムの起動要求に応答して、前記第２のアプリケーションプログラムを起動する第１の起動手段と、
前記起動された第２のアプリケーションプログラムにしたがって、前記外部装置と通信して前記コンテンツを前記外部装置から取り込む処理を実行する取込処理手段と、
前記第２のアプリケーションプログラムにしたがって、前記取り込まれたコンテンツに関する情報を生成する生成手段と、
前記生成された情報を前記第１アプリケーションから利用可能にして記憶媒体に保存する保存手段と、
前記コンテンツが前記外部装置から取り込まれた後、前記第２のアプリケーションプログラムにしたがって前記第１のアプリケーションプログラムの起動要求を行う第２の要求手段と、
前記第１のアプリケーションプログラムの起動要求に応答して前記第１のアプリケーションプログラムを起動する第２の起動手段と、
前記第１のアプリケーションプログラムにしたがって、前記外部装置から取り込まれたコンテンツに対して出力処理を実行する出力処理手段を備え、
前記取込処理手段により少なくとも１つのコンテンツを取り込む処理が実行されれば、前記第２の要求手段は、前記起動要求を行うことが可能になり、前記出力処理手段は、前記外部装置から取り込まれたコンテンツを前記保存された情報に基づいて取得して出力処理を実行し、前記第１のアプリケーションを起動している間、前記取込処理手段は、残りのコンテンツを前記外部装置から取り込む処理を実行し、
前記残りのコンテンツの取込処理が終われば、通知を行うように制御する通知制御手段をさらに備えることを特徴とする情報処理装置。
【請求項２】
コンテンツに対する出力処理を実行するための第１のアプリケーションプログラムおよび前記コンテンツを外部装置から取り込む処理を実行するための第２のアプリケーションプログラムを有する情報処理装置であって、
前記第１のアプリケーションプログラムにしたがって、前記第２のアプリケーションプログラムの起動要求を行う第１の要求手段と、
前記第２のアプリケーションプログラムの起動要求に応答して、前記第２のアプリケーションプログラムを起動する第１の起動手段と、
前記起動された第２のアプリケーションプログラムにしたがって、前記外部装置と通信して前記コンテンツを前記外部装置から取り込む処理を実行する取込処理手段と、
前記第２のアプリケーションプログラムにしたがって、前記取り込まれたコンテンツに関する情報を生成する生成手段と、
前記生成された情報を前記第１アプリケーションから利用可能にして記憶媒体に保存する保存手段と、
前記コンテンツが前記外部装置から取り込まれた後、前記第２のアプリケーションプログラムにしたがって前記第１のアプリケーションプログラムの起動要求を行う第２の要求手段と、
前記第１のアプリケーションプログラムの起動要求に応答して前記第１のアプリケーションプログラムを起動する第２の起動手段と、
前記第１のアプリケーションプログラムにしたがって、前記外部装置から取り込まれたコンテンツに対して出力処理を実行する出力処理手段を備え、
前記取込処理手段により少なくとも１つのコンテンツを取り込む処理が実行されれば、前記第２の要求手段は、前記起動要求を行うことが可能になり、前記出力処理手段は、前記外部装置から取り込まれたコンテンツを前記保存された情報に基づいて取得して出力処理を実行し、前記第１のアプリケーションを起動している間、前記取込処理手段は、残りのコンテンツを前記外部装置から取り込む処理を実行し、
前記残りのコンテンツの取込処理が終われば、前記外部装置との通信を切断するように制御する通信制御手段をさらに備えることを特徴とする情報処理装置。
【請求項３】
前記第１および前記第２の起動手段は、第２のアプリケーションプログラムの画面および前記第１のアプリケーションプログラムの画面それぞれをフォアグラウンドに表示させることを特徴とする請求項１または２に記載の情報処理装置。
【請求項４】
前記第１の要求手段により前記第２のアプリケーションプログラムの起動要求が行われるとき、前記第１のアプリケーションプログラムに関する識別子も発行され、
前記第２の起動手段は、前記識別子に基づき、前記第１のアプリケーションプログラムを起動することを特徴とする請求項１または２に記載の情報処理装置。
【請求項５】
前記識別子は前記第１のアプリケーションプログラムの状態を特定することを特徴とする請求項３に記載の情報処理装置。
【請求項６】
前記コンテンツが前記外部装置から取り込まれた後、前記第２のアプリケーションプログラムにしたがって前記第１のアプリケーションプログラムの起動要求を行うか否かを、ユーザの操作に応答して選択する選択手段をさらに備え、
前記第２の要求手段は、前記選択の結果にしたがって、前記第１のアプリケーションプログラムの起動要求を行うことを特徴とする請求項１または２に記載の情報処理装置。
【請求項７】
コンテンツに対する出力処理を実行するための第１のアプリケーションプログラムおよび前記コンテンツを外部装置から取り込む処理を実行するための第２のアプリケーションプログラムを有する情報処理装置の制御方法であって、
前記第１のアプリケーションプログラムにしたがって、前記第２のアプリケーションプログラムの起動要求を行うステップと、
前記第２のアプリケーションプログラムの起動要求に応答して、前記第２のアプリケーションプログラムを起動するステップと、
前記起動された第２のアプリケーションプログラムにしたがって、前記外部装置と通信して前記コンテンツを前記外部装置から取り込む処理を実行するステップと、
前記第２のアプリケーションプログラムにしたがって、前記取り込まれたコンテンツに関する情報を生成するステップと、
前記生成された情報を前記第１アプリケーションから利用可能にして記憶媒体に保存するステップと、  前記コンテンツが前記外部装置から取り込まれた後、前記第２のアプリケーションプログラムにしたがって前記第１のアプリケーションプログラムの起動要求を行うステップと、
前記第１のアプリケーションプログラムの起動要求に応答して前記第１のアプリケーションプログラムを起動するステップと、
前記第１のアプリケーションプログラムにしたがって、前記外部装置から取り込まれたコンテンツに対して出力処理を実行するステップを備え、
少なくとも１つの前記コンテンツを取り込む処理が実行されれば、前記第２のアプリケーションプログラムにしたがって前記第１のアプリケーションプログラムの起動要求を行うことが可能になり、前記外部装置から取り込まれたコンテンツを前記保存された情報に基づいて取得して出力処理が実行され、前記第１のアプリケーションを起動している間、残りの前記コンテンツを前記外部装置から取り込む処理が実行され、
前記残りのコンテンツの取込処理が終われば、通知を行うように制御するステップをさらに備えることを特徴とする制御方法。
【請求項８】
コンテンツに対する出力処理を実行するための第１のアプリケーションプログラムおよび前記コンテンツを外部装置から取り込む処理を実行するための第２のアプリケーションプログラムを有する情報処理装置の制御方法であって、
前記第１のアプリケーションプログラムにしたがって、前記第２のアプリケーションプログラムの起動要求を行うステップと、
前記第２のアプリケーションプログラムの起動要求に応答して、前記第２のアプリケーションプログラムを起動するステップと、
前記起動された第２のアプリケーションプログラムにしたがって、前記外部装置と通信して前記コンテンツを前記外部装置から取り込む処理を実行するステップと、
前記第２のアプリケーションプログラムにしたがって、前記取り込まれたコンテンツに関する情報を生成するステップと、
前記生成された情報を前記第１アプリケーションから利用可能にして記憶媒体に保存するステップと、
前記コンテンツが前記外部装置から取り込まれた後、前記第２のアプリケーションプログラムにしたがって前記第１のアプリケーションプログラムの起動要求を行うステップと、
前記第１のアプリケーションプログラムの起動要求に応答して前記第１のアプリケーションプログラムを起動するステップと、
前記第１のアプリケーションプログラムにしたがって、前記外部装置から取り込まれたコンテンツに対して出力処理を実行するステップを備え、
少なくとも１つの前記コンテンツを取り込む処理が実行されれば、前記第２のアプリケーションプログラムにしたがって前記第１のアプリケーションプログラムの起動要求を行うことが可能になり、前記外部装置から取り込まれたコンテンツを前記保存された情報に基づいて取得して出力処理が実行され、前記第１のアプリケーションを起動している間、残りの前記コンテンツを前記外部装置から取り込む処理が実行され、
前記残りのコンテンツの取込処理が終われば、前記外部装置との通信を切断するように制御するステップをさらに備えることを特徴とする制御方法。
【請求項９】
コンピュータを請求項１乃至６のいずれか一項に記載の情報処理装置の各手段として機能させるプログラム。
【請求項１０】
コンピュータを請求項１乃至６のいずれか一項に記載の情報処理装置の各手段として機能させるプログラムをコンピュータ読み出し可能に記憶した記憶媒体。
【手続補正２】
【補正対象書類名】明細書
【補正対象項目名】０００６
【補正方法】変更
【補正の内容】
【０００６】
上記課題を解決するために本願に係る発明の１つは、コンテンツに対する出力処理を実行するための第１のアプリケーションプログラムおよび前記コンテンツを外部装置から取り込む処理を実行するための第２のアプリケーションプログラムを有する情報処理装置であって、前記第１のアプリケーションプログラムにしたがって、前記第２のアプリケーションプログラムの起動要求を行う第１の要求手段と、前記第２のアプリケーションプログラムの起動要求に応答して、前記第２のアプリケーションプログラムを起動する第１の起動手段と、
前記起動された第２のアプリケーションプログラムにしたがって、前記外部装置と通信して前記コンテンツを前記外部装置から取り込む処理を実行する取込処理手段と、
前記第２のアプリケーションプログラムにしたがって、前記取り込まれたコンテンツに関する情報を生成する生成手段と、前記生成された情報を前記第１アプリケーションから利用可能にして記憶媒体に保存する保存手段と、前記コンテンツが前記外部装置から取り込まれた後、前記第２のアプリケーションプログラムにしたがって前記第１のアプリケーションプログラムの起動要求を行う第２の要求手段と、前記第１のアプリケーションプログラムの起動要求に応答して前記第１のアプリケーションプログラムを起動する第２の起動手段と、前記第１のアプリケーションプログラムにしたがって、前記外部装置から取り込まれたコンテンツに対して出力処理を実行する出力処理手段を備え、前記取込処理手段により少なくとも１つのコンテンツを取り込む処理が実行されれば、前記第２の要求手段は、前記起動要求を行うことが可能になり、前記出力処理手段は、前記外部装置から取り込まれたコンテンツを前記保存された情報に基づいて取得して出力処理を実行し、前記第１のアプリケーションを起動している間、前記取込処理手段は、残りのコンテンツを前記外部装置から取り込む処理を実行し、前記残りのコンテンツの取込処理が終われば、通知を行うように制御する通知制御手段をさらに備えることを特徴とする。